(57)【要約】      （修正有）【課題】正座時のしびれを防止する足しびれ防止座具を提供する。【解決手段】楕円形の臀部乗せ部１と前記臀部乗せ部１を支える台座とからなり、前記台座にはダーツ５を入れて凹みを設け、前記台座の下部にファスナー６を縫い付け、内部にストロービーズを充填したことを特徴とする。臀部乗せ部１を上面にし、正座時において、臀部の下へ設置し、膝下の下肢間に平行に、臀部乗せ部１に対する逆台形の一角を置き、臀部を下ろし、臀部乗せ部１に体重を乗せていけば、自然に安定した状態になり、使用者は違和感なく正座を保ち続けることが出来る。【選択図】図１
0003182265.tif 000002
【実用新案登録請求の範囲】
【請求項１】
クッション材を使用したしびれ防止座具。
【考案の詳細な説明】
【考案の詳細な説明】
【技術分野】
【０００１】  長時間の正座時に生じる足のしびれを防止する正座補助クッションに関する物である。
【背景技術】
【０００２】  正座時のしびれは下肢の圧迫による血行不良が原因とし、その圧迫を阻止する座具を使い上半身の重さを軽減し、その外、足、腰等の身体ツボを圧迫する事による痛み、損傷が原因とし、保護するサポーター等の緩衝具使用方法がある。【０００３】  前者は後者より大掛かりになるが、効果の確実性が高く、広く行き渡っている。【０００４】  前者には、血行不良対策に座布団、或いは枕等の緩衝材の材質、形状等の工夫で凌ぐ方法と、他方、上半身の重さを直接的に下半身に充てるのを避ける方法として、座椅子或いは板や台等の構造、形状に創意を示す物がある。
いずれも参考文献等に示す。
参考文献１  ・丸型の補助具では下肢が広がりしびれが来る。
参考文献２  ・座椅子など木材の物は硬く違和感がある。
【発明が解決しようとする課題】
【０００５】  座布団、或いは枕等の緩衝材の材質、丸形筒状の製品は短時間では効果が出るが、長時間の正座には形状品が効果を発揮する。
【０００６】  長時間の正座を強いられるのは茶会や法事等が多く、和服姿が多い。和服の場合は現状で知られる座布団、枕等の緩衝材品が好まれるが長い正座の場合、十分な効果が得られなかった。
【課題を解決する手段】
【０００７】  この目的のため、本発明は形状が枕に似て、使い勝手が良く、上半身の体重を十分に支えられる構造を維持出来て、長時間の正座に効果が発揮できるように、上部に楕円形のクッションを載設した臀部乗せ台と、該臀部乗せ台を支える台座から成ることを特徴とするものである。
【実施例】
【０００８】  実施例について図面を参照し、その作用と共に説明する。図１は本説明に係る「足のしびれ防止用座具の斜視図」である。本発明は臀部乗せ部と上半身の体重を支える逆台形部とを備えている。【０００９】  臀部乗せ部１は逆台形部の一面上２に発泡樹脂等のクッション部材３が設けられると共に、該クッション部材３を含む部分を布の外装部材４により被覆され、設置される。【００１０】  上記の構成に係る台座を使用するには、臀部乗せ部１を上面にし、正座時において、臀部の下へ設置し、膝下の下肢間に平行に、臀部乗せ部１に対する逆台形の一角を置き、臀部を下ろし、臀部乗せ部１に体重を乗せていけば、自然に安定した状態になり、使用者は違和感なく正座を保ち続けることが出来る。
【第一実施例】
【００１１】  ・中袋と外袋の側面に２本のダーツをつけ、臀部乗せと下部に凹みを作り下肢の圧迫を防いでいる。
・中袋と外袋の下部にファスナーをつけ、ビーズの増減ができ、高さを変える事が出来る。
・ストロービーズを使用する事により軽量（３００グラム）に仕上られ、持ち運びも楽である。
・中袋はネット素材を使って弾力をもたせてある。
・外袋は和服布を使い上品に仕上げている。
【発明の効果】
茶会や法事等で長時間の正座を強いられた後、立ち上がり時、足の麻痺で転倒をおこし、よろけて器物を損壊したり、倒れて怪我をしたり、酷いときは足を骨折する重傷を起こすなどがなくなり、安心して長時間正座を続けることが容易になる。
【図面の簡単な説明】
【図１】  斜視図である。
【符号の説明】  １臀部乗せ部  ２逆台形部（ネット）  ３クッション部材（ストロービーズ）  ４外装部材（和服布）  ５ダーツ  ６ファスナー
【符号の説明】１臀部乗せ部
２逆台形部（ネット）
３クッション部材（ストロービーズ）
４外装部材（和服布）
５ダーツ
６ファスナー
【図１】
0003182265.tif 000003
【図２】
0003182265.tif 000004
【手続補正書】
【提出日】平成24年2月2日(2012.2.2)
【手続補正１】
【補正対象書類名】実用新案登録請求の範囲
【補正対象項目名】全文
【補正方法】変更
【補正の内容】
【実用新案登録請求の範囲】
【請求項１】
正座時の足のしびれを防止する事を目的に臀部乗せ部と台座をつくり台座には各々２ヶ所にダーツを入れて凹みを作る事により下肢が開く事なく平行になり足の圧迫を予防し又臀部の安定をはかり長時間の正座を楽にするものである。
【手続補正２】
【補正対象書類名】明細書
【補正対象項目名】全文
【補正方法】変更
【補正の内容】
【考案の詳細な説明】
【技術分野】
【０００１】  長時間の正座時に生じる足のしびれを防止する正座補助クッションに関する物である。
【背景技術】
【０００２】  正座時のしびれは下肢の圧迫による血行不良が原因であるからその圧迫を阻止する座具を使い上半身の重さを軽減するほか足腰等の身体ツボを圧迫する事による痛みや損傷が原因もあるからそれを保護するサポーター等の緩衝具使用方法もある。【０００３】  前者は後者より大掛かりになるが効果の確実性が高く広く行き渡っている。【０００４】  前者には血行不良対策に座布団或いは枕等の緩衝材の材質や形状等の工夫で凌ぐ方法と他方上半身の重さを直接的に下半身に充てるのを避ける方法として座椅子或いは板や台等の構造や形状に創意を示す物がある。
いずれも参考文献等に示す。
参考文献１  ・丸型の補助具では下肢が広がりしびれが来る。
参考文献２  ・座椅子など木材の物は硬く違和感がある。
【解決しようとする課題】
【０００５】  座布団或いは枕等の緩衝材の材質や丸形筒状の製品は短時間では効果が出るが長時間の正座には形状品の方が効果を発揮する。
【０００６】  長時間の正座を強いられるのは茶会や法事等での和服姿が多くその場合は現状で知られる座布団や枕等の緩衝材品が好まれるが長い正座の場合には十分な効果が得られなかった。
【課題を解決する手段】
【０００７】  この目的のため本考案は形状が枕に似て使い勝手が良く上半身の体重を十分に支えられる構造を維持出来ており長時間の正座に効果が発揮できるよう上部に楕円形のクッションを載設した臀部乗せ台と該臀部乗せ台を支える台座から成ることを特徴とするものである。
【実施例】
【０００８】  実施例について図面を参照しその作用と共に説明すると図１は本説明に係る「足のしびれを防止する座具の斜視図」で本考案は臀部乗せ部と上半身の体重を支える逆台形部とを備えている。【０００９】  臀部乗せ部１は逆台形部の一面上２に発泡樹脂等のクッション部材３が設けられると共に、該クッション部材３を含む部分を布の外装部材４により被覆されて設置される。【００１０】  上記の構成に係る台座を使用するには臀部乗せ部１を上面にし正座時において臀部の下へ設置し膝下の下肢間に平行に臀部乗せ部１に対する逆台形の一角を置き臀部を下ろし臀部乗せ部１に体重を乗せていけば自然に安定した状態になり使用者は違和感なく正座を保ち続けることが出来る。
【第一実施例】
【００１１】・中袋と外袋の側面に２本のダーツをつけ臀部乗せと下部に凹みを作り下肢の圧迫を防いでいる。
・中袋と外袋の下部にファスナーをつけストロービーズの増減が出来る事により高さを変える事が出来る。
・ストロービーズを使用する事により軽量（４００グラム）に仕上られて持ち運びも楽である。
・中袋はネット素材を使って弾力をもたせてある。
・外袋は和服布を使い上品に仕上げている。
【考案の効果】
【００１２】  茶会や法事等で長時間の正座を強いられた後の立ち上がり時に足の麻痺で転倒したりよろけて器物を損壊したり倒れて怪我をしたり酷いときは足を骨折する重傷を起こすなどの心配がなくなり安心して長時間正座を続けることが容易になる。
【図面の簡単な説明】
【００１３】
【図１】  斜視図である。
【図２】  展開図である。
【符号の説明】
【００１４】１臀部乗せ部
２逆台形部（ネット）
３クッション部材（ストロービーズ）
４外装部材（和服布）
５ダーツ
６ファスナー
【手続補正３】
【補正対象書類名】図面
【補正対象項目名】全図
【補正方法】変更
【補正の内容】
【図１】
0003182265.tif 000005
【図２】
0003182265.tif 000006
【手続補正書】
【提出日】平成24年5月24日(2012.5.24)
【手続補正１】
【補正対象書類名】実用新案登録請求の範囲
【補正対象項目名】全文
【補正方法】変更
【補正の内容】
【実用新案登録請求の範囲】
【請求項１】
正座時の足のしびれを防止する事を目的に臀部乗せ部と台座をつくり、台座には各々２ヶ所にダーツを入れて凹みを作る事により足が開く事なく平行になり、各部を縫製し内部を充填し三角柱状を形成する事を特徴とする足しびれ防止座具。
【手続補正２】
【補正対象書類名】明細書
【補正対象項目名】全文
【補正方法】変更
【補正の内容】
【考案の詳細な説明】
【技術分野】
【０００１】  長時間の正座時に生じる足のしびれを防止する正座補助座具に関する物。
【背景技術】
【０００２】  正座時のしびれは下肢の圧迫による血行不良が原因であるから、その圧迫を阻止する座具を使い上半身の重さを軽減する方法が多い。【０００３】  その方法には、血行不良対策に座布団或いは枕等の緩衝材の材質や形状等の工夫で凌ぐ方法と他方、上半身の重さを直接的に下半身に充てるのを避ける方法として座椅子或いは板や台等の構造や形状に工夫を示す物がある。いずれも参考文献等に示す。
参考文献１  ・丸型の補助具では下肢が広がりしびれが来る。
参考文献２  ・座椅子など木材の物は硬く違和感がある。
【解決しようとする課題】
【０００４】  座布団或いは枕等の緩衝材の材質や丸形筒状の製品は、短時間では効果が出るが長時間の正座には形状品の方が効果を発揮する。
【０００５】  長時間の正座を強いられるのは、茶会や法事等での和服姿が多く、その場合は現状で知られる座布団や枕等の緩衝材品が好まれるが、長い正座の場合には十分な効果が得られなかった。
【課題を解決する手段】
【０００６】  この目的のため本考案は形状が三角柱に似ており、裁縫の手法を駆使して上半身の体重を十分に支えられる構造を維持出来、下肢の座り合わせが容易になり、長時間の正座に効果が発揮できる。
【実施例】
【０００７】  実施例について図面を参照しその作用と共に説明すると、図２の展開図の５のダーツを４ヶ所縫う。次に、イとイ、ロとロを中心まで縫い、ハとハを縫い合わせ（左右共に同じ）、下部にファスナーを縫い付ける。
【第一実施例】
【０００８】・中袋と外袋のそれぞれの側面に２本のダーツを縫い、臀部乗せと下部に凹みを作り下肢の圧迫を防いでいる。
・中袋と外袋の下部にファスナーを縫いつける事によりストロービーズの増減が出来、高さを変える事が出来る。
・ストロービーズを使用する事により軽量（４００グラム）に仕上げられて持ち運びも楽である。
・中袋はネット素材を使って弾力をもたせてある。
・外袋は和服布を使い上品に仕上げている。
【考案の効果】
【０００９】  茶会や法事等で長時間の正座を強いられた後の立ち上がり時に足の麻痺で転倒したり、よろけて器物を損壊したり、倒れて怪我をしたり、酷いときは足を骨折する重傷を起こすなどの心配がなくなり、安心して長時間正座を続けることが容易になる。
【図面の簡単な説明】
【００１０】
【図１】  斜視図である。
【図２】  展開図である。
【符号の説明】
【００１１】１臀部乗せ部
２逆台形部（ネット）
３クッション部材（ストロービーズ）
４外装部材（和服布）
５ダーツ
６ファスナー
【手続補正３】
【補正対象書類名】図面
【補正対象項目名】全図
【補正方法】変更
【補正の内容】
【図１】
0003182265.tif 000007
【図２】
0003182265.tif 000008
【手続補正書】
【提出日】平成24年9月6日(2012.9.6)
【手続補正１】
【補正対象書類名】実用新案登録請求の範囲
【補正対象項目名】全文
【補正方法】変更
【補正の内容】
【実用新案登録請求の範囲】
【請求項１】
正座時の足のしびれを防止する事を目的に臀部乗せ部と台座をつくり、台座には各々２ヶ所にダーツを入れて凹みを作る事により足が開く事なく平行になり、図２の展開図の５のダーツを４ヶ所縫うとともに、イとイ、ロとロを中心まで縫い、ハとハを縫い合わせ（左右共に同じ）、下部にファスナーを縫い付け、内部にストロービーズを充填し三角柱状を形成する事を特徴とする足しびれ防止座具。
【手続補正書】
【提出日】平成24年12月21日(2012.12.21)
【手続補正１】
【補正対象書類名】実用新案登録請求の範囲
【補正対象項目名】全文
【補正方法】変更
【補正の内容】
【実用新案登録請求の範囲】
【請求項１】
楕円形の臀部乗せ部と前記臀部乗せ部を支える台座とからなり、前記台座にはダーツを入れて凹みを設け、前記台座の下部にファスナーを縫い付け、内部にストロービーズを充填したことを特徴とする足しびれ防止座具。